【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】
一対の基板間に液晶層を挟持し、前記一対の基板のうち一方の基板に複数のセグメント電極を、他方の基板に対向電極とをそれぞれ有し、前記セグメント電極と前記対向電極とによって前記液晶層へ選択的に電圧を印加することにより、前記液晶層に入射する光の透過、散乱、または吸収の状態が変化して表示を行う液晶表示パネルであって、
前記複数のセグメント電極の周囲に、該セグメント電極と間隙を介して補足電極が設けられ、
前記一方の基板上に、前記複数のセグメント電極へそれぞれ個別に外部信号を印加するための複数のセグメント電極用端子と、各々の前記セグメント電極用端子と前記セグメント電極とをそれぞれ接続する配線電極とを有し、
前記補足電極は、前記配線電極とも間隙を介して設けられ、
前記対向電極と前記セグメント電極との重畳部が画素部を構成し、前記対向電極と前記補足電極との重畳部が背景部を構成し、かつ前記対向電極と前記配線電極との重畳部も前記背景部を構成することを特徴とする液晶表示パネル。
【請求項２】
前記配線電極の線幅および前記補足電極と前記配線電極との間の間隙を３０μｍ以下にすることを特徴とする請求項１に記載の液晶表示パネル。
【請求項３】
前記配線電極の線幅および前記補足電極と前記配線電極との間の間隙を２０μｍ以下にすることを特徴とする請求項１に記載の液晶表示パネル。
【請求項４】
一対の基板間に液晶層を挟持し、前記一対の基板のうち一方の基板に複数のセグメント電極を、他方の基板に対向電極とをそれぞれ有し、前記セグメント電極と前記対向電極とによって前記液晶層へ選択的に電圧を印加することにより、前記液晶層に入射する光の透過、散乱、または吸収の状態が変化して表示を行う液晶表示パネルであって、
前記複数のセグメント電極の周囲に、絶縁膜を介して補足電極が設けられ、
前記一方の基板上に、前記複数のセグメント電極へそれぞれ個別に外部信号を印加するための複数のセグメント電極用端子と、各々の前記セグメント電極用端子と前記セグメント電極とをそれぞれ接続する配線電極とを有し、
前記補足電極は前記配線電極とも前記絶縁膜を介して設けられ、
前記絶縁膜の形状は、前記セグメント電極および前記配線電極とほぼ同一形状とし、
前記対向電極と前記セグメント電極との重畳部が画素部を構成し、前記対向電極と前記補足電極との重畳部が背景部を構成し、かつ前記対向電極と前記配線電極との重畳部も前記背景部を構成することを特徴とする液晶表示パネル。
【請求項５】
前記セグメント電極と前記配線電極とをマスクとして、前記絶縁膜がエッチング処理され、前記絶縁膜が前記セグメント電極および前記配線電極とほぼ同一形状に形成されたことを特徴とする請求項４に記載の液晶表示パネル。
【請求項６】
前記一方の基板と前記セグメント電極との間に前記絶縁膜が配置され、
前記一方の基板と前記配線電極との間に、前記補足電極と前記絶縁膜が配置されていることを特徴とする請求項４に記載の液晶表示パネル。
【請求項７】
前記一方の基板と前記セグメント電極との間には前記補足電極と前記絶縁膜が設けられ、前記一方の基板と前記配線電極との間にも前記補足電極と前記絶縁膜が設けられていることを特徴とする請求項４に記載の液晶表示パネル。
【請求項８】
前記配線電極の線幅を３０μｍ以下にすることを特徴とする請求項４に記載の液晶表示パネル。
【請求項９】
前記配線電極の線幅を２０μｍ以下にすることを特徴とする請求項４に記載の液晶表示パネル。
【請求項１０】
前記液晶層は、液晶と透明固形物からなる混合液晶層であることを特徴とする請求項１または請求項４に記載の液晶表示パネル。
【請求項１１】
前記液晶層は、液晶と二色性色素からなる混合液晶層であることを特徴とする請求項１または請求項４に記載の液晶表示パネル。
【請求項１２】
前記一対の基板のうち一方の下基板の下側には、光発電素子を有し、外部光量により背景部の表示を可変することを特徴とする請求項１または請求項４に記載の液晶表示パネル。
【請求項１３】
前記配線電極は、該配線電極内に複数の孔を有することを特徴とする請求項１または請求項４に記載の液晶表示パネル。
【請求項１４】
前記補足電極または前記対向電極は、複数に分割していることを特徴とする請求項１または請求項４に記載の液晶表示パネル。
【手続補正２】
【補正対象書類名】明細書
【補正対象項目名】００１４
【補正方法】変更
【補正の内容】
【００１４】
一対の基板間に液晶層を挟持し、一対の基板のうち一方の基板に複数のセグメント電極を、他方の基板に対向電極とをそれぞれ有し、セグメント電極と前記対向電極とによって液晶層に選択的に電圧を印加することにより、液晶層に入射する光の透過、散乱、または吸収の状態が変化して表示を行う液晶表示パネルであって、複数のセグメント電極の周囲に、該セグメント電極と間隙を介して補足電極が設けられ、一方の基板上に、複数のセグメント電極へそれぞれ個別に外部信号を印加するための複数のセグメント電極用端子と、各々の前記セグメント電極用端子と、前記セグメント電極とをそれぞれ接続する配線電極とを有し、補足電極は、配線電極とも間隙を介して設けられ、対向電極とセグメント電極との重畳部が画素部を構成し、対向電極と補足電極との重畳部が背景部を構成し、かつ対向電極と配線電極との重畳部も背景部を構成することを特徴とする。
【手続補正３】
【補正対象書類名】明細書
【補正対象項目名】００１５
【補正方法】変更
【補正の内容】
【００１５】
配線電極の線幅および前記補足電極と前記配線電極との間の間隙を３０μｍ以下にすることを特徴とする。また、好ましくは２０μｍ以下にすることを特徴とする。
【手続補正４】
【補正対象書類名】明細書
【補正対象項目名】００１６
【補正方法】変更
【補正の内容】
【００１６】
または、一対の基板間に液晶層を挟持し、一対の基板のうち一方の基板に複数のセグメント電極を、他方の基板に対向電極とをそれぞれ有し、セグメント電極と対向電極とによって液晶層へ選択的に電圧を印加することにより、液晶層に入射する光の透過、散乱、または吸収の状態が変化して表示を行う液晶表示パネルであって、複数のセグメント電極の周囲に、絶縁膜を介して補足電極が設けられ、一方の基板上に、複数のセグメント電極へそれぞれ個別に外部信号を印加するための複数のセグメント電極用端子と、各々の前記セグメント電極用端子と前記セグメント電極とをそれぞれ接続する配線電極とを有し、補足電極は配線電極とも絶縁膜を介して設けられ、絶縁膜の形状は、セグメント電極および配線電極とほぼ同一形状とし、対向電極とセグメント電極との重畳部が画素部を構成し、対向電極と補足電極との重畳部が背景部を構成し、かつ対向電極と配線電極との重畳部も背景部を構成することを特徴とする。
【手続補正５】
【補正対象書類名】明細書
【補正対象項目名】００１７
【補正方法】変更
【補正の内容】
【００１７】
さらに、セグメント電極と配線電極とをマスクとして、絶縁膜がエッチング処理され、絶縁膜がセグメント電極および配線電極とほぼ同一形状に形成されたことを特徴とする。
【手続補正６】
【補正対象書類名】明細書
【補正対象項目名】００１８
【補正方法】変更
【補正の内容】
【００１８】
また、一方の基板とセグメント電極との間に絶縁膜が配置され、一方の基板と配線電極との間に、補足電極と絶縁膜とが配置されていることを特徴とする。
【手続補正７】
【補正対象書類名】明細書
【補正対象項目名】００１９
【補正方法】変更
【補正の内容】
【００１９】
また、一方の基板とセグメント電極との間には補足電極と絶縁膜が設けられ、一方の基板と配線電極との間にも補足電極と絶縁膜が設けられていることを特徴とする。
【手続補正８】
【補正対象書類名】明細書
【補正対象項目名】００２０
【補正方法】変更
【補正の内容】
【００２０】
また、配線電極の線幅を３０μｍ以下にすることを特徴とする。好ましくは、２０μｍ以下にすることを特徴とする。